(57)【特許請求の範囲】
【請求項１】
ヘルメットの帽体に装着する布地性のヘルメットカバーであって、
複数の布片の端部同士が内側に折り込まれて縫製されて半球体状のカバー本体が形成され、
カバー本体の周囲には帯状の反射部材が設けられており、
前記帯状の反射部材は、各布片に配置される複数の反射片で構成され、
各反射片は、カバー本体の表面に接着剤により取り付けられ、両端が布片の端部に折り込まれて縫製されていることを特徴とするヘルメットカバー。
【請求項２】
ヘルメットの帽体に装着する布地性のヘルメットカバーであって、
複数の布片の端部同士が内側に折り込まれて縫製されて半球体状のカバー本体が形成され、
カバー本体の正面には、正面の布片が他の布片より短く形成されて、ヘルメットの正面マークを視認可能な矩形状の開口が形成され、
カバー本体の周囲には帯状の反射部材が設けられており、
前記帯状の反射部材は、正面の布片を除く各布片に配置される複数の反射片で構成され、
各反射片は、カバー本体の表面に接着剤により取り付けられ、両端が布片の端部に折り込まれて縫製されていることを特徴とするヘルメットカバー。
【請求項３】
庇付きヘルメットの帽体に装着する布地性のヘルメットカバーであって、
複数の布片の端部同士が内側に折り込まれて縫製されて半球体状のカバー本体が形成され、
さらにカバー本体の正面下部にヘルメットの庇を覆う庇カバーの後部が縫製され、
カバー本体及び庇カバーの周縁に第１の弾性帯が取り付けられ、さらに、カバー本体の下部と庇カバーの後部の接続部に第２の弾性体が取り付けられ、
カバー本体及び庇カバーは、ヘルメットの帽体及び庇の周縁に第１の弾性体を介して着脱可能に取り付けられ、カバー本体の下部及び庇カバーの後部がヘルメットの帽体と庇の連結部に第２の弾性体を介して圧接させられるようになっており、
カバー本体の周囲には帯状の反射部材が設けられ、
前記帯状の反射部材は、各布片に配置される複数の反射片で構成され、
各反射片は、カバー本体の表面に接着剤により取り付けられ、両端が布片の端部に折り込まれて縫製されていることを特徴とするヘルメットカバー。
【請求項４】
庇付きヘルメットの帽体に装着する布地性のヘルメットカバーであって、
複数の布片の端部同士が内側に折り込まれて縫製されて半球体状のカバー本体が形成され、
さらにカバー本体の正面下部にヘルメットの庇を覆う庇カバーが縫製され、
カバー本体の正面には、正面の布片が他の布片より短く形成されて、ヘルメットの正面マークを視認可能な矩形状の開口が形成され、
カバー本体及び庇カバーの周縁に第１の弾性帯が取り付けられ、さらに、カバー本体の下部と庇カバーの後部の接続部に第２の弾性体が取り付けられ、
カバー本体及び庇カバーは、ヘルメットの帽体及び庇の周縁に第１の弾性体を介して着脱可能に取り付けられ、カバー本体の下部及び庇カバーの後部がヘルメットの帽体と庇の連結部に第２の弾性体を介して圧接させられるようになっており、
カバー本体の周囲には帯状の反射部材が設けられており、
前記帯状の反射部材は、正面の布片を除く各布片に配置される複数の反射片で構成され、
各反射片は、カバー本体の表面に接着剤により取り付けられ、両端が布片の端部に折り込まれて縫製されていることを特徴とするヘルメットカバー。
【発明の詳細な説明】
【技術分野】
【０００１】
本発明は、ヘルメットに装着して表面を覆うヘルメットカバーに関するものである。
【背景技術】
【０００２】
従来からヘルメットに装着して、視認性を高め、作業者の安全を図るヘルメットカバーが提案されている。ヘルメットカバーは、複数の布片からなり、複数の布片の端部同士が縫製されて形成され、半球体状のカバー本体が設けられている。カバー本体の周囲には帯状の反射部材が設けられている。前記帯状の反射部材は、各布片に配置される複数の反射片で構成されている。各反射片は、裏面に塗布された接着剤、縫製等によって、各布片に設けられている（特許文献１）。
【先行技術文献】
【特許文献】
【０００３】
【特許文献１】実開平０７−３１８２５号公報
【発明の概要】
【発明が解決しようとする課題】
【０００４】
従来のヘルメットカバーは、半球体状のカバー本体に帯状の反射部材を取り付けて、視認性を高めている。帯状の反射部材は、１枚でカバー本体全周に巻き付けると、カバー本体が半球体形状であるため、上辺が撓んで皺ができてしまうので、複数の反射片で構成し、各反射片を各布片に接着剤、縫製等により取り付けていた。各反射片は、先に縫製されて形成された半球体状のカバー本体の各布片に接着剤、縫製等により取り付けるので、各反射片間に隙間が生じ、１枚の帯状に連続させることができないとい問題点があった。また、各反射片を接着剤によりカバー本体に取り付けると、剥がれ易く、耐久性に乏しいという問題点があった。さらにまた、各反射片を縫製によりカバー本体に取り付けると、剥がれ難く耐久性があるが、カバー本体が半球体状であるので、各反射片を各布片に縫製する作業が面倒且つ時間もかかり、コスト高になるという問題点があった。
【０００５】
本願発明は、上記問題点に鑑み案出したものであって、半球体状のカバー本体を構成する各布片に、反射片を帯状に連続させて取り付けることができ、各反射片をカバー本体に剥がれ難く耐久性があり、カバー本体形成時の各布片の端部同士の縫製を利用して、各布片に簡単に取り付けることができるヘルメットカバーを提供することを目的とする。
【課題を解決するための手段】
【０００６】
本願請求項１に係るヘルメットカバーは、上記目的を達成するため、ヘルメットの帽体に装着する布地性のヘルメットカバーであって、複数の布片の端部同士が内側に折り込まれて縫製されて半球体状のカバー本体が形成され、カバー本体の周囲には帯状の反射部材が設けられており、前記帯状の反射部材は、各布片に配置される複数の反射片で構成され、各反射片は、カバー本体の表面に接着剤により取り付けられ、両端が布片の端部に折り込まれて縫製されていることを特徴とする。
【０００７】
本願請求項２に係るヘルメットカバーは、上記目的を達成するため、ヘルメットの帽体に装着する布地性のヘルメットカバーであって、複数の布片の端部同士が内側に折り込まれて縫製されて半球体状のカバー本体が形成され、カバー本体の正面には、正面の布片が他の布片より短く形成されて、ヘルメットの正面マークを視認可能な矩形状の開口が形成され、カバー本体の周囲には帯状の反射部材が設けられており、前記帯状の反射部材は、正面の布片を除く各布片に配置される複数の反射片で構成され、各反射片は、カバー本体の表面に接着剤により取り付けられ、両端が布片の端部に折り込まれて縫製されていることを特徴とする。
【０００８】
本願請求項３に係るヘルメットカバーは、上記目的を達成するため、庇付きヘルメットの帽体に装着する布地性のヘルメットカバーであって、複数の布片の端部同士が内側に折り込まれて縫製されて半球体状のカバー本体が形成され、さらにカバー本体の正面下部にヘルメットの庇を覆う庇カバーの後部が縫製され、カバー本体及び庇カバーの周縁に第１の弾性帯が取り付けられ、さらに、カバー本体の下部と庇カバーの後部の接続部に第２の弾性体が取り付けられ、カバー本体及び庇カバーは、ヘルメットの帽体及び庇の周縁に第１の弾性体を介して着脱可能に取り付けられ、カバー本体の下部及び庇カバーの後部がヘルメットの帽体と庇の連結部に第２の弾性体を介して圧接させられるようになっており、カバー本体の周囲には帯状の反射部材が設けられ、前記帯状の反射部材は、各布片に配置される複数の反射片で構成され、各反射片は、カバー本体の表面に接着剤により取り付けられ、両端が布片の端部に折り込まれて縫製されていることを特徴とする。
【０００９】
本願請求項４に係るヘルメットカバーは、上記目的を達成するため、庇付きヘルメットの帽体に装着する布地性のヘルメットカバーであって、複数の布片の端部同士が内側に折り込まれて縫製されて半球体状のカバー本体が形成され、さらにカバー本体の正面下部にヘルメットの庇を覆う庇カバーが縫製され、カバー本体の正面には、正面の布片が他の布片より短く形成されて、ヘルメットの正面マークを視認可能な矩形状の開口が形成され、カバー本体及び庇カバーの周縁に第１の弾性帯が取り付けられ、さらに、カバー本体の下部と庇カバーの後部の接続部に第２の弾性体が取り付けられ、カバー本体及び庇カバーは、ヘルメットの帽体及び庇の周縁に第１の弾性体を介して着脱可能に取り付けられ、カバー本体の下部及び庇カバーの後部がヘルメットの帽体と庇の連結部に第２の弾性体を介して圧接させられるようになっており、カバー本体の周囲には帯状の反射部材が設けられており、前記帯状の反射部材は、正面の布片を除く各布片に配置される複数の反射片で構成され、各反射片は、カバー本体の表面に接着剤により取り付けられ、両端が布片の端部に折り込まれて縫製されていることを特徴とする。
【発明の効果】
【００１０】
本願発明に係るヘルメットカバーは、ヘルメットの帽体に装着する布地性のヘルメットカバーである。ヘルメットカバーは、複数の布片の端部同士が内側に折り込まれて縫製されて半球体状のカバー本体が形成されている。カバー本体の周囲には帯状の反射部材が設けられている。前記帯状の反射部材は、各布片に配置される複数の反射片で構成されている。各反射片は、カバー本体の表面に接着剤により取り付けられ、両端が布片の端部に折り込まれて縫製されている。
【００１１】
本願発明に係るヘルメットカバーは、複数の布片にそれぞれ反射片を接着剤により取り付け、この複数の布片の端部同士を内側に折り込んでから縫製して半球体状のカバー本体を形成している。このように本願発明に係るヘルメットカバーは、カバー本体を形成してから反射片を取り付けるのではなく、先に反射片を各布片に接着剤により固定しておくので、複数の布片の端部同士を内側に折り込んで縫製して半球体状のカバー本体を形成すると、同時に反射片の両端が布片の端部に折り込まれて縫製され、反射片を各布片に簡単に取り付けることができるという効果がある。また、反射片は、両端が折り込まれて縫製されているので剥がれ難く耐久性があり、帯状に連続させて取り付けることができるという効果がある。
【００１２】
本願発明に係るヘルメットカバーは、ヘルメットの帽体に装着する布地性のヘルメットカバーである。ヘルメットカバーは、複数の布片の端部同士が内側に折り込まれて縫製されて半球体状のカバー本体が形成されている。カバー本体の正面には、正面の布片が他の布片より短く形成されて、ヘルメットの正面マークを視認可能な矩形状の開口が形成されている。カバー本体の周囲には帯状の反射部材が設けられている。前記帯状の反射部材は、正面の布片を除く各布片に配置される複数の反射片で構成されている。各反射片は、カバー本体の表面に接着剤により取り付けられ、両端が布片の端部に折り込まれて縫製されている。
【００１３】
本願発明に係るヘルメットカバーは、複数の布片にそれぞれ反射片を接着剤により取り付け、この複数の布片の端部同士を内側に折り込んでから縫製して半球体状のカバー本体を形成している。このように本願発明に係るヘルメットカバーは、カバー本体を形成してから反射片を取り付けるのではなく、先に反射片を各布片に接着剤により固定しておくので、複数の布片の端部同士を内側に折り込んで縫製して半球体状のカバー本体を形成すると、同時に反射片の両端が布片の端部に折り込まれて縫製され、反射片を各布片に簡単に取り付けることができるという効果がある。また、反射片は、両端が折り込まれて縫製されているので剥がれ難く耐久性があり、帯状に連続させて取り付けることができるという効果がある。また、カバー本体の正面に矩形状の開口が形成されており、開口を介してヘルメットの正面マークを確実に視認することができるという効果がある。
【００１４】
本願発明に係るヘルメットカバーは、庇付きヘルメットの帽体に装着する布地性のヘルメットカバーである。ヘルメットカバーは、複数の布片の端部同士が内側に折り込まれて縫製されて半球体状のカバー本体が形成されている。さらにカバー本体の正面下部にはヘルメットの庇を覆う庇カバーの後部が縫製されている。カバー本体及び庇カバーの周縁には、第１の弾性帯が取り付けられている。さらに、カバー本体の下部と庇カバーの後部の接続部に第２の弾性体が取り付けられている。カバー本体及び庇カバーは、ヘルメットの帽体及び庇の周縁に第１の弾性体を介して着脱可能に取り付けられる。カバー本体の下部及び庇カバーの後部がヘルメットの帽体と庇の連結部に第２の弾性体を介して圧接させられるようになっている。カバー本体の周囲には帯状の反射部材が設けられている。前記帯状の反射部材は、各布片に配置される複数の反射片で構成されている。各反射片は、カバー本体の表面に接着剤により取り付けられ、両端が布片の端部に折り込まれて縫製されている。
【００１５】
本願発明に係るヘルメットカバーは、複数の布片にそれぞれ反射片を接着剤により取り付け、この複数の布片の端部同士を内側に折り込んでから縫製して半球体状のカバー本体を形成している。このように本願発明に係るヘルメットカバーは、カバー本体を形成してから反射片を取り付けるのではなく、先に反射片を各布片に接着剤により固定しておくので、複数の布片の端部同士を内側に折り込んで縫製して半球体状のカバー本体を形成すると、同時に反射片の両端が布片の端部に折り込まれて縫製され、反射片を各布片に簡単に取り付けることができるという効果がある。また、反射片は、両端が折り込まれて縫製されているので剥がれ難く耐久性があり、帯状に連続させて取り付けることができるという効果がある。本願発明に係るヘルメットカバーは、カバー本体をヘルメットの帽体に被せ、庇カバーをヘルメットの庇に被せて、第１の弾性体により、カバー本体の周縁と庇カバーの周縁をヘルメットの帽体及び庇の周縁に簡単に取り付けることができる。また、カバー本体の下部及び庇カバーの後部がヘルメットの帽体と庇の連結部に第２の弾性体を介して圧接させられ、カバー本体はヘルメットの帽体に隙間なく被着され、庇カバーはヘルメットの庇部に隙間なく被着されて、ヘルメットの形態を保持したままヘルメットカバーを取り付けることができるという効果がある。また、カバー本体は、庇カバーの緊張により、前方に引っ張られ、反射部材を撓ませることがなく保持することができるという効果がある。
【００１６】
本願発明に係るヘルメットカバーは、庇付きヘルメットの帽体に装着する布地性のヘルメットカバーである。ヘルメットカバーは、複数の布片の端部同士が内側に折り込まれて縫製されて半球体状のカバー本体が形成されている。さらにカバー本体の正面下部にはヘルメットの庇を覆う庇カバーが縫製されている。カバー本体の正面には、正面の布片が他の布片より短く形成されて、ヘルメットの正面マークを視認可能な矩形状の開口が形成されている。カバー本体及び庇カバーの周縁には第１の弾性帯が取り付けられている。さらに、カバー本体の下部と庇カバーの後部の接続部には第２の弾性体が取り付けられている。カバー本体及び庇カバーは、ヘルメットの帽体及び庇の周縁に第１の弾性体を介して着脱可能に取り付けられる。カバー本体の下部及び庇カバーの後部がヘルメットの帽体と庇の連結部に第２の弾性体を介して圧接させられるようになっている。カバー本体の周囲には帯状の反射部材が設けられている。前記帯状の反射部材は、正面の布片を除く各布片に配置される複数の反射片で構成されている。各反射片は、カバー本体の表面に接着剤により取り付けられ、両端が布片の端部に折り込まれて縫製されている。
【００１７】
本願発明に係るヘルメットカバーは、複数の布片にそれぞれ反射片を接着剤により取り付け、この複数の布片の端部同士を内側に折り込んでから縫製して半球体状のカバー本体を形成している。このように本願発明に係るヘルメットカバーは、カバー本体を形成してから反射片を取り付けるのではなく、先に反射片を各布片に接着剤により固定しておくので、複数の布片の端部同士を内側に折り込んで縫製して半球体状のカバー本体を形成すると、同時に反射片の両端が布片の端部に折り込まれて縫製され、反射片を各布片に簡単に取り付けることができるという効果がある。また、反射片は、両端が折り込まれて縫製されているので剥がれ難く耐久性があり、帯状に連続させて取り付けることができるという効果がある。本願発明に係るヘルメットカバーは、カバー本体をヘルメットの帽体に被せ、庇カバーをヘルメットの庇に被せて、第１の弾性体により、カバー本体の周縁と庇カバーの周縁をヘルメットの帽体及び庇の周縁に簡単に取り付けることができる。また、カバー本体の下部及び庇カバーの後部がヘルメットの帽体と庇の連結部に第２の弾性体を介して圧接させられ、カバー本体はヘルメットの帽体に隙間なく被着され、庇カバーはヘルメットの庇部に隙間なく被着されて、ヘルメットの形態を保持したままヘルメットカバーを取り付けることができるという効果がある。また、カバー本体は、庇カバーの緊張により、前方に引っ張られ、反射部材を撓ませることがなく保持することができるという効果がある。さらに、カバー本体が前方に引っ張られることにより、カバー本体の正面に形成された矩形状の開口の形状を確実に保持することができ、開口を介してヘルメットの正面マークを確実に視認することができるという効果がある。
【図面の簡単な説明】
【００１８】
【図１】本願発明に係るヘルメットカバーの一実施例を示す図であって、（ａ）が正面図、（ｂ）が背面図である。
【図２】図１のヘルメットカバーの内側から視た図であって、（ａ）が正面内面図、（ｂ）が背面内面図である。
【図３】図１のヘルメットカバーの縫製部を示す図であって、（ａ）が上部斜視図、（ｂ）が下部斜視図である。
【図４】図１のヘルメットカバーの部品図である。
【図５】図１のヘルメットカバーの反射部材の縫製説明図であって、（ａ）が全体図、（ｂ）がＡ部拡大図、（ｃ）がＢ部拡大図、（ｄ）が図１のＸ−Ｘ断面図、（ｅ）が図１のＹ−Ｙ断面図、（ｆ）が図１のＺ−Ｚ断面図である。
【図６】図１のヘルメットカバーをヘルメットに装着した図であって、（ａ）が正面図、（ｂ）が側面図、（ｃ）が背面図である。
【図７】庇付きヘルメットを示す図であって、（ａ）が正面図、（ｂ）が背面図である。
【発明を実施するための形態】
【００１９】
ヘルメットカバー１は、図７に示すように、ヘルメットＨの帽体Ｈ１に装着する布地性のヘルメットカバーである。図１，２に示すように、ヘルメットカバー１は、複数の布片５〜９の端部同士が内側に折り込まれて縫製されて半球体状のカバー本体２が形成されている。カバー本体２の周囲には帯状の反射部材２１が設けられている。前記帯状の反射部材２１は、各布片６〜８に配置される複数の反射片２２〜２４で構成されている。各反射片２２〜２４は、カバー本体２の表面に接着剤により取り付けられ、両端が布片６〜８の端部に折り込まれて縫製されている。
【００２０】
ヘルメットカバー１は、複数の布片６〜８にそれぞれ反射片２２〜２４を接着剤により取り付け、この複数の布片５〜９の端部同士を内側に折り込んでから縫製して半球体状のカバー本体２を形成している。このようにヘルメットカバー１は、カバー本体２を形成してから反射片２２〜２４を取り付けるのではなく、先に反射片２２〜２４を各布片６〜８に接着剤により固定しておくので、複数の布片５〜９の端部同士を内側に折り込んで縫製して半球体状のカバー本体２を形成すると、同時に反射片２２〜２４の両端が布片５〜９の端部に折り込まれて縫製され、反射片２２〜２４を各布片６〜８に簡単に取り付けることができる。また、反射片２２〜２４は、両端が折り込まれて縫製されているので剥がれ難く耐久性があり、帯状に連続させて取り付けることができる。
【００２１】
ヘルメットカバー１は、ヘルメットＨの帽体Ｈ１に装着する布地性のヘルメットカバーである。ヘルメットカバー１は、複数の布片５〜９の端部同士が内側に折り込まれて縫製されて半球体状のカバー本体２が形成されている。カバー本体２の正面には、正面の布片５が他の布片６〜８より短く形成されて、ヘルメットＨの正面マークＭを視認可能な矩形状の開口１０が形成されている。カバー本体２の周囲には帯状の反射部材２１が設けられている。前記帯状の反射部材２１は、正面の布片５を除く各布片６〜８に配置される複数の反射片２２〜２４で構成されている。各反射片２２〜２４は、カバー本体２の表面に接着剤により取り付けられ、両端が布片６〜８の端部に折り込まれて縫製されている。
【００２２】
ヘルメットカバー１は、複数の布片６〜８にそれぞれ反射片２２〜２４を接着剤により取り付け、この複数の布片５〜９の端部同士を内側に折り込んでから縫製して半球体状のカバー本体２を形成している。このようにヘルメットカバー１は、カバー本体２を形成してから反射片２２〜２４を取り付けるのではなく、先に反射片２２〜２４を各布片６〜８に接着剤により固定しておくので、複数の布片５〜９の端部同士を内側に折り込んで縫製して半球体状のカバー本体２を形成すると、同時に反射片２２〜２４の両端が布片６〜８の端部に折り込まれて縫製され、反射片２２〜２４を各布片５〜９に簡単に取り付けることができる。また、反射片２２〜２４は、両端が折り込まれて縫製されているので剥がれ難く耐久性があり、帯状に連続させて取り付けることができる。また、カバー本体２の正面に矩形状の開口１０が形成されており、開口１０を介してヘルメットＨの正面マークＭを確実に視認することができる。
【００２３】
ヘルメットカバー１は、庇付きヘルメットＨの帽体Ｈ１に装着する布地性のヘルメットカバーである。ヘルメットカバー１は、複数の布片５〜９の端部同士が内側に折り込まれて縫製されて半球体状のカバー本体２が形成されている。さらにカバー本体２の正面下部にはヘルメットＨの庇Ｂを覆う庇カバー３の後部が縫製されている。カバー本体２及び庇カバー３の周縁には、第１の弾性帯１３が取り付けられている。さらに、カバー本体２の下部と庇カバー３の後部の接続部に第２の弾性帯１５が取り付けられている。カバー本体２及び庇カバー３は、ヘルメットＨの帽体Ｈ１及び庇Ｂの周縁に第１の弾性帯１３を介して着脱可能に取り付けられる。カバー本体２の下部及び庇カバー３の後部がヘルメットＨの帽体Ｈ１と庇Ｂの連結部に第２の弾性帯１５を介して圧接させられるようになっている。カバー本体２の周囲には帯状の反射部材２１が設けられている。前記帯状の反射部材２１は、各布片６〜８に配置される複数の反射片２２〜２４で構成されている。各反射片２２〜２４は、カバー本体２の表面に接着剤により取り付けられ、両端が布片６〜８の端部に折り込まれて縫製されている。
【００２４】
ヘルメットカバー１は、複数の布片６〜８にそれぞれ反射片２２〜２４を接着剤により取り付け、この複数の布片５〜９の端部同士を内側に折り込んでから縫製して半球体状のカバー本体２を形成している。このようにヘルメットカバー１は、カバー本体２を形成してから反射片２２〜２４を取り付けるのではなく、先に反射片２２〜２４を各布片６〜８に接着剤により固定しておくので、複数の布片５〜９の端部同士を内側に折り込んで縫製して半球体状のカバー本体２を形成すると、同時に反射片２２〜２４の両端が布片６〜８の端部に折り込まれて縫製され、反射片２２〜２４を各布片６〜８に簡単に取り付けることができる。また、反射片２２〜２４は、両端が折り込まれて縫製されているので剥がれ難く耐久性があり、帯状に連続させて取り付けることができる。ヘルメットカバー１は、カバー本体２をヘルメットＨの帽体Ｈ１に被せ、庇カバー３をヘルメットＨの庇Ｂに被せて、第１の弾性帯１３により、カバー本体２の周縁と庇カバー３の周縁をヘルメットＨの帽体Ｈ１及び庇Ｂの周縁に簡単に取り付けることができる。また、カバー本体２の下部及び庇カバー３の後部がヘルメットＨの帽体Ｈ１と庇Ｂの連結部に第２の弾性帯１５を介して圧接させられ、カバー本体２はヘルメットＨの帽体Ｈ１に隙間なく被着され、庇カバー３はヘルメットＨの庇部に隙間なく被着されて、ヘルメットＨの形態を保持したままヘルメットカバー１を取り付けることができる。また、カバー本体２は、庇カバー３の緊張により、前方に引っ張られ、反射部材２１を撓ませることがなく保持することができる。
【００２５】
ヘルメットカバー１は、庇付きヘルメットＨの帽体Ｈ１に装着する布地性のヘルメットカバーである。ヘルメットカバー１は、複数の布片５〜９の端部同士が内側に折り込まれて縫製されて半球体状のカバー本体２が形成されている。さらにカバー本体２の正面下部にはヘルメットＨの庇Ｂを覆う庇カバー３が縫製されている。カバー本体２の正面には、正面の布片５〜９が他の布片５〜９より短く形成されて、ヘルメットＨの正面マークＭを視認可能な矩形状の開口が形成されている。カバー本体２及び庇カバー３の周縁には第１の弾性帯１３が取り付けられている。さらに、カバー本体２の下部と庇カバー３の後部の接続部には第２の弾性帯１５が取り付けられている。カバー本体２及び庇カバー３は、ヘルメットＨの帽体Ｈ１及び庇Ｂの周縁に第１の弾性帯１３を介して着脱可能に取り付けられる。カバー本体２の下部及び庇カバー３の後部がヘルメットＨの帽体Ｈ１と庇Ｂの連結部に第２の弾性帯１５を介して圧接させられるようになっている。カバー本体２の周囲には帯状の反射部材２１が設けられている。前記帯状の反射部材２１は、正面の布片５〜９を除く各布片５〜９に配置される複数の反射片２２〜２４で構成されている。各反射片２２〜２４は、カバー本体２の表面に接着剤により取り付けられ、両端が布片５〜９の端部に折り込まれて縫製されている。
【００２６】
ヘルメットカバー１は、複数の布片６〜８にそれぞれ反射片２２〜２４を接着剤により取り付け、この複数の布片５〜９の端部同士を内側に折り込んでから縫製して半球体状のカバー本体２を形成している。このようにヘルメットカバー１は、カバー本体２を形成してから反射片２２〜２４を取り付けるのではなく、先に反射片２２〜２４を各布片６〜８に接着剤により固定しておくので、複数の布片５〜９の端部同士を内側に折り込んで縫製して半球体状のカバー本体２を形成すると、同時に反射片２２〜２４の両端が布片６〜８の端部に折り込まれて縫製され、反射片２２〜２４を各布片６〜８に簡単に取り付ける。また、反射片２２〜２４は、両端が折り込まれて縫製されているので剥がれ難く耐久性があり、帯状に連続させて取り付けることができる。ヘルメットカバー１は、カバー本体２をヘルメットＨの帽体Ｈ１に被せ、庇カバー３をヘルメットＨの庇Ｂに被せて、第１の弾性帯１３により、カバー本体２の周縁と庇カバー３の周縁をヘルメットＨの帽体Ｈ１及び庇Ｂの周縁に簡単に取り付けることができる。また、カバー本体２の下部及び庇カバー３の後部がヘルメットＨの帽体Ｈ１と庇Ｂの連結部に第２の弾性帯１５を介して圧接させられ、カバー本体２はヘルメットＨの帽体Ｈ１に隙間なく被着され、庇カバー３はヘルメットＨの庇部に隙間なく被着されて、ヘルメットＨの形態を保持したままヘルメットカバー１を取り付けることができる。また、カバー本体２は、庇カバー３の緊張により、前方に引っ張られ、反射部材２１を撓ませることがなく保持することができる。さらに、カバー本体２が方に引っ張られることにより、カバー本体２の正面に形成された矩形状の開口１０が形状を確実に保持することができ、開口１０を介してヘルメットＨの正面マークＭを確実に視認することができる。
【００２７】
さらに、ヘルメットカバーについて詳細に説明する。当該ヘルメットカバー１は、図７に示すように、庇付きヘルメットＨの帽体Ｈ１に装着する布地性のヘルメットカバーである。ヘルメットＨは、帽体Ｈ１と、帽体Ｈ１の正面下部に設けられた庇Ｂとからなり、帽体Ｈ１の正面に企業名等のマークＭが形成されている。ヘルメットカバー１は、図１，２に示すように、半球体状のカバー本体２と、カバー本体２の正面下部に縫製された庇カバー３とからなる。庇付きヘルメットＨの帽体Ｈ１に被せるヘルメットカバー１のカバー本体２は、図４に示すように、正面布片５と、背面布片６と、左面布片７と、右面布片８と、補強布片９とからなり、各布片の端部同士が内側に折り込まれて縫製されて半球体状に形成されている。左面布片７と右面布片８は、対称に形成されている。背面布片６と左面布片７と右面布片８は、略同じ長さで形成され、正面布片５は、背面布片６と左面布片７と右面布片８より短く形成されている。
【００２８】
図１（ａ），図５（ｄ）に示すように、正面布片５の右端５ｂと右面布片８の前端８ａは、内側に折り込まれて当接されて縫製されている。正面布片５の左端５ｃと左面布片７の前端７ａは、内側に折り込まれて当接されて縫製されている。図１（ｂ），図５（ｅ）に示すように、背面布片６の右端６ｂと右面布片８の後端８ｃは、内側に折り込まれて当接されて縫製されている。背面布片６の左端６ｃと左面布片７の後端７ｃは、内側に折り込まれて当接されて縫製されている。図３（ａ）に示すように、正面布片５が右面布片８と左面布片７より短いので、図５（ｆ）に示すように、右面布片８及び左面布片７の前端８ａ，７ａ下部は、正面布片５の右端５ｂと左端５ｃに当接しないで内側に折り込まれて縫製されている。補強布片９は、右端９ｃが右面布片８の前端８ａ下部に縫製され、左端９ｄが左面布片７の前端７ａ下部に縫製されている。縫製は、オーバーロックにより行われる。このように、正面布片５と、背面布片６と、左面布片７と、右面布片８と、補強布片９が縫製されて、半球体状のカバー本体２を構成している。正面布片５の下端５ａと、補強布片９の上端９ａと、右面布片８の前端８ａと、左面布片７の前端７ａによって、カバー本体２の開口１０が矩形状に形成される。
【００２９】
図４に示すように、庇カバー３は、湾曲布片によって形成されている。湾曲布片３は、凸状の前部湾曲縁３ａと凹状の後部湾曲縁３ｂによって三日月状に形成されている。湾曲布片３は、カバー本体２の正面下部、即ち、補強布片９の下端９ｂ、右面布片８の前方下端８ｂ及び左面布片７の前方下端７ｂに後部湾曲縁３ｂが縫製されて取り付けられている。なお、前記した補強布片９は、湾曲布片３があるので、取り付けないようにしても構わない。
【００３０】
カバー本体２の下端２ａ周縁と庇カバー３の周縁、即ち、背面布片６の下端６ａ、右面布片８の下端８ｂ、左面布片７の下端７ｂ、湾曲布片３の前部湾曲縁３ａに、環状の長尺布片１１が縫製されている。図３（ｂ）に示すように、この長尺布片１１によって形成される案内路１２内に第１のゴム帯１３が取り付けられている。また、カバー本体２の正面下部、即ち、補強布片９の下端９ｂ、右面布片８の前方下端８ｂ及び左面布片７の前方下端７ｂと湾曲布片３の後部湾曲縁３ｂとの接合縫製部には、第２のゴム帯１５が同時に縫製されて取り付けられている。
【００３１】
このように、ヘルメットカバー１は、複数の布片の端部同士が内側に折り込まれて縫製されて半球体状のカバー本体２が形成され、カバー本体２の正面下部にはヘルメットＨの庇Ｂを覆う庇カバー３が縫製されている。カバー本体２の正面には、正面布片５が他の布片より短く形成されて、ヘルメットＨの正面マークＭを視認可能な矩形状の開口１０が形成されている。カバー本体２及び庇カバー３は、ヘルメットＨの帽体Ｈ１の下端周縁Ｈ２及び庇Ｂの周縁Ｂ２に第１のゴム帯１３を介して着脱可能に取り付けられる。カバー本体２の下端２ａ正面及び庇カバー３の後部湾曲縁３ｂがヘルメットＨの帽体Ｈ１と庇Ｂの連結部Ｓに第２のゴム帯１５を介して圧接させられるようになっている。
【００３２】
このヘルメットカバー１には、帯状の反射部材２１が取り付けられている。帯状の反射部材２１は、左面布片７に取り付けられる左面反射片２２と、背面布片６に取り付けられる背面反射片２３と、右面布片８に取り付けられる右面反射片２４とからなる。反射片２２〜２４は、特に限定しないが、再起性反射シートで直線状に形成されていることが望ましい。図４に示すように、左面反射片２２は、左面布片７に接着剤により固定される。左面反射片２２は、前端２２ａが左面布片７の前端７ａまで達し、後端２２ｂが左面布片７の後端７ｃまで達する長さで形成されている。また、左面反射片２２の幅は、前記矩形状の開口１０の左端縁と略同じ長さで形成されている。右面反射片２４は、右面布片８に接着剤により固定される。右面反射片２４は、前端２４ａが右面布片８の前端８ａまで達し、後端２４ｂが右面布片８の後端８ｃまで達する長さで形成されている。また、右面反射片２４の幅は、左面反射片２２と略同じ幅の長さで、前記矩形状の開口１０の右端縁と略同じ長さで形成されている。背面反射片２３は、背面布片６に接着剤により固定される。背面反射片２３は、左端２３ａが背面布片６の左端６ｃまで達し、右端２３ｂが背面布片６の右端６ｂまで達する長さで形成されている。また、背面反射片２３の幅は、左面反射片２２及び左面反射片２２と略同じ幅の長さで形成されている。
【００３３】
図５（ｂ）に示すように、右面布片８の後端８ｃと背面布片６の右端６ｂが内側に折り込まれて縫製されるので、右面反射片２４の後端２４ｂと背面反射片２３の右端２３ｂは、接触した形で右面布片８の後端８ｃと背面布片６の右端６ｂの間に差し込まれて一緒に縫製されている。左面布片７の後端７ｃと背面布片６の左端６ｃが内側に折り込まれて縫製されるので、左面反射片２２の後端２２ｂと背面反射片２３の左端２３ａは、接触した形で左面布片７の後端７ｃと背面布片６の左端６ｂの間に差し込まれて一緒に縫製されている。図５（ｃ）に示すように、右面布片８の前端８ａが内側に折り込まれて縫製されるので、右面反射片２４の前端２４ａも内側に折り込まれて一緒に縫製されている。左面布片７の前端７ａが内側に折り込まれて縫製されるので、左面反射片２２の前端２２ａも内側に折り込まれて一緒に縫製されている。このように、カバー本体２を形成するための縫製で同時に反射片２２〜２３も縫い込まれ、反射片２２〜２３をカバー本体２に別途に縫製することはない。右面反射片２４の後端２４ｂと背面反射片２３の右端２３ｂが連接し、左面反射片２２の後端２２ｂと背面反射片２３の左端２３ａが連接して、カバー本体２の周囲に帯状の反射部材２１が形成されることになる。
【００３４】
ヘルメットカバー１は、上記したように構成され、庇付きヘルメットＨに被着することができる。ヘルメットカバー１の半球体状のカバー本体２を、庇付きヘルメットＨの帽体Ｈ１に被せ、ヘルメットカバー１の庇カバー３を、庇付きヘルメットＨの庇Ｂに被せる。カバー本体２及び庇カバー３の周縁に取り付けた第１のゴム帯１３を帽体Ｈ１及び庇Ｂの周縁Ｈ２，Ｂ２に係止させると、カバー本体２及び庇カバー３が緊張した状態で帽体Ｈ１及び庇Ｂに取り付けることができる。この時、カバー本体２の下端２ａ正面及び庇カバー３の後部湾曲縁３ｂがヘルメットＨの帽体Ｈ１と庇Ｂの接合連結部Ｓに第２のゴム帯１５を介して圧接させられるので、庇カバー３は庇Ｂに全体が接触しており、カバー本体２は帽体Ｈ１全面に接触し、ヘルメットＨの形態を損なうことがない。また、カバー本体２が庇カバー３の存在によって、下方に引っ張られ、第２のゴム帯１５によって帽体Ｈ１に押しつけられているので、開口１０の形状及び環状の反射部材２１の形状を撓めることなく確実に保持でき、ヘルメットＨの前面に表示されている企業名等のマークＭの視認性及び反射部材２１の視認性を高めることができる。
【００３５】
ヘルメットカバー１は、各布片６〜８にそれぞれ直線帯状の反射片２２〜２４を接着剤により真っ直ぐに貼り付けてから、各布片５〜９を縫製して半球体状のカバー本体２を形成するだけで、同時に各反射片２２〜２４の両端が連結した状態で縫製される。このように、ヘルメットカバー１は、コストを抑えて簡単に製造することができる。また、各反射片２２〜２４は、第１のゴム帯１３及び第２のゴム帯１５により、皺が寄らず、高視認性を維持することができる。また、ヘルメットカバー１は、庇付きヘルメットの場合は第１のゴム帯１３で対応でき、庇無しヘルメットの場合は第１のゴム帯１３と第２のゴム帯１５で対応でき、庇有りと庇無しのどちらのヘルメットにもフィットすることができ、反射部材２１の高視認性を確保することができる。
【産業上の利用可能性】
【００３６】
本願発明は、作業用ヘルメットに取り付けられるヘルメットカバーに利用可能である。
【符号の説明】
【００３７】
Ｂ  庇
Ｂ２  周縁
Ｈ ヘルメット
Ｈ１  帽体
Ｈ２  下端周縁
Ｍ  マーク
Ｓ  連結部
１  ヘルメットカバー１
２  カバー本体
２ａ  下端
３  庇カバー（湾曲布片）
３ａ  前部湾曲縁
３ｂ  後部湾曲縁
５  正面布片
５ａ  下端
５ｂ  右端
５ｃ  左端
６  背面布片
６ａ  下端
６ｂ  右端
６ｃ  左端
７  左面布片
７ａ  前端
７ｂ  下端
７ｃ  後端
８  右面布片
８ａ  前端
８ｂ  下端
８ｃ  後端
９  補強布片
９ａ  上端
９ｂ  下端
９ｃ  右端
９ｄ  左端
１０  開口
１１  長尺布片
１２  案内路
１３  第１の弾性帯（第１のゴム帯）
１５  第２の弾性帯（第２のゴム帯）
２１  反射部材
２２  左面反射片
２２ａ  前端
２２ｂ  後端
２３  背面反射片
２３ａ  左端
２３ｂ  右端
２４  右面反射片
２４ａ  前端
２４ｂ  後端
【図１】
0006342242.tif 000002
【図２】
0006342242.tif 000003
【図３】
0006342242.tif 000004
【図４】
0006342242.tif 000005
【図５】
0006342242.tif 000006
【図６】
0006342242.tif 000007
【図７】
0006342242.tif 000008